(57)【特許請求の範囲】
【請求項１】
流動性物質を保持するための容器（２）、および流動性物質用容器（２）の出口開口部の領域に取り付けられる閉鎖可能な供給ノズル（３）を有してなる流動性物質用のパッケージであって、流動性物質用容器（３）は、円形の断面を有する衝撃押出されたチューブ状のアルミニウム容器により形成されていることによって寸法的にほぼ完全に安定であって、円筒状の壁面に少なくとも一つの圧縮可能な把持凹部（６）が設けられていることによって、流動性物質を少量だけ実質的に正確に小出しするために必要な制限された変形性を有し、容器の下部にはストッパ（８）が封止するように挿入されていることを特徴とするパッケージ。
【請求項２】
流動性物質用容器（２）が、二つの相互に反対側に位置する把持凹部（６）を有してなることを特徴とする請求項１記載のパッケージ。
【請求項３】
流動性物質用容器（２）の閉鎖可能な供給ノズル（３）がアルミニウムまたはポリエチレンからなることを特徴とする請求項１又は２記載のパッケージ。
【発明の詳細な説明】
本発明は、流動性物質用のパッケージ(pack)であって、物質を保持するための容器(container)ならびに流動性物質用容器の出口開口部の領域に取り付けられる閉鎖可能な適用ノズル（アプリケーターノズル）を有してなるパッケージに関する。
この種のパッケージ、特に流動性接着剤用のパッケージは、例えばプラスチックの瓶などの形態で知られている。物質を取り出すために、ユーザーは、可撓性であるプラスチック瓶の壁部に外圧を加えて、開口した適用ノズルを通して接着剤を流出させる。この既知のパッケージは多くの用途に適してはいるが、ユーザーが非常に精密に圧力をパッケージに加えなければならないので、適用すべき量の接着剤を小出しするのが非常に困難であるかまたは場合によって不可能なこともあるという問題点を伴っている。
軟らかい金属のチューブ状接着剤パッケージも既知である。この場合、チューブに圧力が加えられると接着剤が流出するが、圧力を加えた後、特に、次々に排出が行われた後、チューブ状パッケージは押し込まれた状態のままで残され、特にもはや完全に一杯でなくなった場合、パッケージの取扱いが困難になる。パッケージの安定性も悪影響を与える。更に、この種のチューブ状金属パッケージが正確な小出しを可能にしない限り、既知のプラスチック瓶パッケージと同様の問題点が生じる。
本発明が解決しようとする課題は、充填レベルとは無関係に、この種の物質を正確な量で供給し、便利に取扱うことができる、寸法的に安定なパッケージを提供することである。
本発明によれば、この課題は、物質を収容する容器が、圧力の外部への適用によって押し込まれ得るが、適用された圧力を除くと通常の状態に戻る壁面を少なくとも部分的に備えている、衝撃押出または押出加圧(impact extrusion、Flieβpressen)されたチューブ状のアルミニウム容器により形成されることを特徴とする、冒頭部において述べた種類のパッケージによって解決される。
本発明の課題を解決するための手段によって、寸法的に安定なパッケージが提供されると同時に、外部からの圧力の適用による正確な供給（小出し）も提供される。衝撃押出された後、この種のアルミニウム容器は非常に硬く、そしてある程度変形することができるが、その後完全に回復するということが実際に見い出された。ユーザーの手によって適用される通常の圧力下においては外部から加えられる変形は制限されるので、一度に少量の物質だけが流れ出すことができ、従って、正確な供給（小分け）が可能になる。更に、圧力が除かれた後、押圧された壁面が、その弾性のため、ならびに適用される変形が最小であるために、初めの状態に戻るので、パッケージは充填レベルとは無関係に寸法的に安定である。更に、本発明のパッケージは、不浸透性、特に水密性が高いので、流動性接着剤、特にシアノアクリレート用として特に適する。
本発明の特に有利な態様の一つにおいて、物質を収容する容器は断面が円形であり、壁面に少なくとも一つの押圧可能な把持凹部(gripping recess)を有している。このような衝撃押出された円形のアルミニウム容器は、寸法的にほぼ完全に安定であって、容易に圧縮することができず、従って、少なくとも一つの型付(impress)された把持凹部によって、供給（小出し）するために必要な圧縮性(compressibility)がもたらされる。
特に有効な態様において、物質を収容する容器は二つの対向する把持凹部を有してなる。このことにより、容器がこのようにユーザーの手によって把持され、両側に同時に適用される圧力により圧迫されて物質を供給することができるので、取扱い性がかなり容易になる。
物質を収容する容器が楕円形の断面を有する場合には、楕円形の衝撃押出されたアルミニウムの型材は、寸法安定性と充分な強度とが組合せられたものであり、その高い弾性によって、二つの対向する長い壁部領域を容易に押圧することができる。
もう一つの有利な態様において、流動性物質用容器の閉鎖可能な適用ノズルはアルミニウムまたはポリエチレンからなっており、これは既知の方法で、出口端部の方の一点に向かって先細りに（テーパー状）なるように形成することができる。クロージャーは、例えば、ネジ山を有するように形成されていたプラスチック・キャップなどによって形成されていてよく、それにより、それをネジ留めすることができる。このようにして、安全で緊密なクロージャーがパッケージに取り付けられる。
添付図面を参照して、本発明の態様例を以下詳細に説明する。
図１は、本発明のパッケージの一態様例の斜視図である。
図２は、図１に示すパッケージの側面図である。
図３は、楕円形の断面を有するパッケージの参考とする態様例の斜視図である。
図面に関して、流動性物質、特に流動性接着剤用のパッケージは、参照符号１により全面的に示されている。
このパッケージは物質を収容する容器２を有してなり、容器２の上端部には図示しな出口開口部が設けられている。出口開口部は膜(membrane)によって閉鎖されていてよく、この膜には、物質を供給するためにパッケージを初めて使用する前に、穴を設ける必要がある。流動性物質用容器２には、出口開口部の近くに、閉鎖可能な適用ノズル３が取り付けられ、適用ノズル３には、例えば、（図示しない）クロージャー・キャップにネジ留めするための外側のネジ山４ならびに開放された出口端部５に向かってある点に対して先細りするテーパーが設けられる。
本発明によれば、衝撃押出されたチューブ状のアルミニウム容器により流動性物質用容器２が形成される。このような容器は、衝撃押出された後では非常に硬く、ある程度変形させた後、完全に回復させることができる。しかしながら、円形断面の形態は非常に高い寸法安定性を有しており、物質の適用のためにわずかな変形しか許容しないので、二つの対向する把持凹部６が流動性物質用容器２の壁面に型付けされる。これらの把持凹部６に矢印７の向きに圧力が加えられることによって、流動性物質用容器２を容易に圧縮することができ、供給ノズル３を通して流動性物質を少量、従って正確な量で流れ出させることができる。圧力を除いた後、アルミニウム容器の弾性によって、把持凹部６は元の状態に戻る。
従って、容器２の制限された変形性によって、寸法的に安定なパッケージが提供され、同時に、圧力が加えられるたびに物質を少量だけ流出させることができるので、正確な供給が達成される。同時に、パッケージが寸法的に安定であるので、パッケージの充填レベルとは無関係に、この正確な供給が可能である。
供給ノズル３は、アルミニウムまたは硬質ポリエチレンからなることが好ましい。（図示しない）クロージャー・キャップも、例えばポリエチレンなどからなっていてよい。従って、パッケージは安定かつ不透過性であって、水分に敏感な接着剤、例えばシアノアクリレートなどならびに無溶剤物質用として使用することもできる。
充填するために、封止するように挿入できるストッパ８、例えばポリエチレンまたはその他の適当な材料などからなるものを、流動性物質用容器の下部に配することができる。
図３は参考とするパッケージの一つの態様を示しており、図１と同じ部材が同じ参照符号によって示されている。
この態様において、パッケージ１は断面が楕円形であるアルミニウム製の流動性物質用容器２を有してなる。このような楕円形の断面を有するパッケージは、図１および２に示される態様に存在する把持凹部を型付けする必要がなくなり、符号９で示される長い壁部領域に圧力が適用された場合、小さいが、簡単な取り扱いのためには充分な圧力の適用によって、容器の適当な圧縮が達成され、適用された圧力が除かれると、相当する壁部領域は初めの状態に戻る。
本発明は、図示された態様により決して限定されない。基本的概念から離れることなく本発明を更に変更することができる。従って、圧力が外部に適用されると、圧力が適用された壁面がわずかに押し込まれ、適用された圧力が除かれると初めの状態に完全に戻るという効果を、本発明は有する。
【図１】
0003734497.tif 000002
【図２】
0003734497.tif 000003
【図３】
0003734497.tif 000004